(57)【要約】【課題】リアクターへの雨水や粉塵の侵入がなく、しかもリアクターの放熱効果を上げることができる空気調和機を提供する。【解決手段】熱交換器（図示せず）と室外ファン（図示せず）を収納する熱交換器室９と、圧縮機（図示せず）等を収納すると共に前記熱交換器室９と仕切り板８で仕切られた機械室７と、前記熱交換機室９側に設けられると共にリアクター１１が固定されたリアクター台１０と、前記リアクター１１を防水するためのリアクターカバー１２を備え、前記リアクター１１とリアクターカバー１２との間に伝熱体１５を設けたもので、リアクターカバー１２により雨水や粉塵が、リアクターカバー１２内に侵入することがなく、しかも伝熱体１５により、リアクターカバー１２内の熱がリアクターカバー１２に効率よく伝熱され、リアクター１１の放熱効果を上げることができる空気調和機を提供することができる。【選択図】図２
2009198039.tif 000002
【特許請求の範囲】
【請求項１】
熱交換器と室外ファンを収納する熱交換器室と、圧縮機等を収納すると共に前記熱交換器室と仕切り板で仕切られた機械室と、前記熱交換機室側に設けられると共にリアクターが固定されたリアクター台と、前記リアクターを防水するためのリアクターカバーを備え、前記リアクターとリアクターカバーとの間に伝熱体を設けたことを特徴とする空気調和機。
【請求項２】
リアクターカバーの表面に放熱用のヒートシンクを設けたことを特徴とする請求項１に記載の空気調和機。
【請求項３】
ヒートシンクを、リアクターカバーの上面に設けたことを特徴とする請求項２に記載の空気調和機。
【請求項４】
リアクターの上方に伝熱体を設けたことを特徴とする請求項１〜３のいずれか１項に記載の空気調和機。
【請求項５】
伝熱体を、リアクターの鉄心とリアクターカバーとの間に設けたことを特徴とする請求項１〜４のいずれか１項に記載の空気調和機。
【請求項６】
リアクターカバーに、伝熱体の近傍に配置されるガイドを設けたことを特徴とする請求項１〜５のいずれか１項に記載の空気調和機。
【発明の詳細な説明】
【技術分野】
【０００１】
本発明は、空気調和機に関するもので、特に、空気調和機の室外ユニットに取り付けられているリアクターの放熱に関するものである。
【背景技術】
【０００２】
従来、この種の空気調和機において、室外ユニットに取り付けられているリアクターの放熱効果を上げるための方策がいくつか考案されている（例えば、特許文献１参照）。
【０００３】
図３は、上記特許文献１に記載された従来の空気調和機の平面図、図４は、同空気調和機のリアクター収納部の断面図を示すものである。
【０００４】
図３および図４に示すように、従来の空気調和機の室外ユニットにおいては、基盤１上に、熱交換器２と、室外ファン３および室外ファンモーター４を取り付けるためのファンモーター取り付け板５を配置し、圧縮機６や圧縮機６に接続される配管等が収納されている機械室７とを仕切るための仕切り板８を配置し、仕切り板８に接するように熱交換機室９へ取り付けられるリアクター台１０上に、リアクター１１を配置し、リアクター１１は、リアクターカバー１２によって覆われている構造となっている。
【０００５】
以上のようなリアクター取付構造を備えた空気調和機について、以下その動作を説明する。
【０００６】
室外ユニットの運転により、リアクター１１に通電され、リアクター１１が発した熱がリアクターカバー１２の内部に貯められる。貯まった熱は、リアクターカバー１２に伝熱されてリアクターカバー１２の外郭から放熱される。また、仕切り板８上に、仕切り板開口部１３が設けられてあり、かつリアクターカバー１２にもリアクターカバー開口部１４が設けられている。
【０００７】
室外ユニットの運転により室外ファン３が回転し、機械室７側の空気が熱交換機室９側へ引っ張られる。その際、機械室７の空気が仕切り板開口部１３を通過し、リアクターカバー１２内部を通過して、リアクターカバー開口部１４からリアクターカバー１２の外部へ放出される。その際にリアクターカバー１２の内部に貯まった熱も一緒にリアクターカバー１２の外部へ放出され、リアクターカバー１２内部に熱がこもらないようになっている。
【特許文献１】実開昭５８−６７２９１号公報
【発明の開示】
【発明が解決しようとする課題】
【０００８】
しかしながら、前記従来の空気調和機の構成では、リアクターカバー１２に設けられているリアクターカバー開口部１４から雨水や粉塵の侵入を防止することができず、雨水や粉塵の侵入を防止するためには、リアクターカバー１２に設けられているリアクターカバー開口部１４を小さくしなければならず、逆にリアクターカバー開口部１４を小さくすると機械室７からの空気の流通が少なくなり、リアクターカバー１２内部に貯まった熱を放熱する効果が悪くなるという課題を有していた。
【０００９】
本発明は、前記従来の課題を解決するもので、リアクターカバー内への雨水や粉塵の侵入を防止し、しかもリアクターの放熱効果を上げることができる空気調和機を提供することを目的とする。
【課題を解決するための手段】
【００１０】
前記従来の課題を解決するために、本発明の空気調和機は、熱交換器と室外ファンを収納する熱交換器室と、圧縮機等を収納すると共に前記熱交換器室と仕切り板で仕切られた機械室と、前記熱交換機室側に設けられると共にリアクターが固定されたリアクター台と、前記リアクターを防水するためのリアクターカバーを備え、前記リアクターとリアクターカバーとの間に伝熱体を設けたもので、リアクターカバーにより雨水や粉塵が、リアクターカバー内に侵入することがなく、しかも伝熱体により、リアクターカバー内の熱がリアクターカバーに効率よく伝熱され、リアクターの放熱効果を上げることができる空気調和機を提供することができる。
【発明の効果】
【００１１】
本発明の空気調和機は、リアクターとリアクターを覆っているリアクターカバーとの間に伝熱体を設けることにより、雨水や粉塵の侵入がなく、リアクターの放熱効果を上げることができる。
【発明を実施するための最良の形態】
【００１２】
第１の発明は、熱交換器と室外ファンを収納する熱交換器室と、圧縮機等を収納すると共に前記熱交換器室と仕切り板で仕切られた機械室と、前記熱交換機室側に設けられると共にリアクターが固定されたリアクター台と、前記リアクターを防水するためのリアクターカバーを備え、前記リアクターとリアクターカバーとの間に伝熱体を設けたもので、リアクターカバーにより雨水や粉塵が、リアクターカバー内に侵入することがなく、しかも伝熱体により、リアクターカバー内の熱がリアクターカバーに効率よく伝熱され、リアクターの放熱効果を上げることができる空気調和機を提供することができる。
【００１３】
第２の発明は、特に、第１の発明のリアクターカバーの表面に放熱用のヒートシンクを設けたもので、リアクターカバーに伝えられた熱を効率よく、外部に放熱することができる空気空気調和機を提供することができる。
【００１４】
第３の発明は、特に、第２の発明のヒートシンクを、リアクターカバーの上面に設けたもので、リアクターカバーに伝えられた熱を効率よく放熱することができる空気調和機を提供することができる。
【００１５】
第４の発明は、特に、第１〜３のいずれか一つの発明のリアクターの上方に伝熱体を設けたもので、リアクターの放熱効果を一層上げることができる空気調和機を提供することができる。
【００１６】
第５の発明は、特に、第１〜４のいずれか一つの発明の伝熱体を、リアクターの鉄心とリアクターカバーとの間に設けたもので、リアクターの鉄心は最も放熱しやすいので、リアクターカバーへの伝熱効果が高められ、それにより放熱効果を一層高めることができる空気調和機を提供することができる。
【００１７】
第６の発明は、特に、第１〜５のいずれか一つの発明のリアクターカバーに、伝熱体の近傍に配置されるガイドを設けたもので、雨水や粉塵の侵入を防止すると共に、ガイドによりリアクターカバーの装着が容易で、しかも伝熱体とリアクターとの密着性がよくなり、リアクターの放熱効果をさらに上げることができる空気調和機を提供することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機の平面図、図２は、同空気調和機のリアクターおよびリアクターカバー取付断面図を示すものである。尚、上記従来の空気調和機と同一部分には、同一符号を付してその説明を省略する。
【００２０】
図１および図２において、本実施の形態における空気調和機の室外ユニットを構成する基盤１上に熱交換器２を配置し、ファンモーター取り付け板５が基盤１上に配置され、ファンモーター取り付け板５にファンモーター４を取り付け、ファンモーター４の先端に取り付けられている室外ファン３を回転させて、熱交換器２を通過した風を、室外ユニット前方へ送るようになっている。
【００２１】
上記の部品が配置されている熱交換機室９と、圧縮機６や各配管（図示せず）が収納されている機械室７とを仕切る仕切り板８が基盤１上に配置されている。熱交換機室９内の仕切り板８近傍の基盤１上に、リアクター台１０が設置されており、リアクター台１０上にリアクター１１が設置されている。リアクター１１への雨水や粉塵の浸入防止のためリアクターカバー１２によってリアクター１１が覆われている。
【００２２】
リアクター１１の鉄心１７とリアクターカバー１２との間には、リアクター１１の熱やリアクターカバー１２内に貯まった熱をリアクターカバー１２に伝達するための伝熱体１５が設けられている。
【００２３】
また、リアクターカバー１２の表面、本実施の形態では、リアクターカバー１２の上面に、放熱用のヒートシンク１６を設けている。さらに、リアクターカバー１２の内部には、末広がり状の誘導部１９を先端に有するガイド１８が設けられ、リアクターカバー１２を基盤１に取り付ける際に、ガイド１８の誘導部１９がリアクター１１の鉄心１７に当たり、リアクターカバー１２が正規の取り付け位置に誘導されるようになっている。
【００２４】
以上のように構成された本実施の形態における空気調和機について、以下その動作、作用を説明する。
【００２５】
室外ユニットの運転によって、リアクター１１に通電され、リアクター１１が発熱し、リアクターカバー１２の内部に熱が貯まる。リアクターカバー１２の内部に貯まった熱は、伝熱体１５、リアクターカバー１２、リアクターカバー１２の表面に設けたヒートシンク１６に順に伝わり、リアクターカバー１２の表面及びヒートシンク１６の表面から熱交換機室９に効率よく放出される。
【００２６】
以上のように、本実施の形態によれば、リアクター１１をリアクターカバー１２で覆うと共に、リアクター１１とリアクターカバー１２との間に伝熱体１５を設けているので、リアクターカバー１２内に雨水や粉塵が侵入することがなく、しかもリアクター１１の放熱効果に優れた空気調和機を提供することができる。
【００２７】
また、リアクターカバー１２の上面に放熱用のヒートシンク１６が設けられているので、雨水や粉塵の侵入をより確実に防止すると共に、リアクターカバー１２内の上方に溜まりがちなリアクター１１からの熱がヒートシンク１６に伝達され、放熱効果をより上げることができる。
【００２８】
また、熱は、リアクターカバー１２内の上方に貯まるため、伝熱体１５をリアクター１１の上方へ設けることにより、より放熱効果を上げるとこができる。
【００２９】
また、伝熱体１５が、リアクター１１の最も放熱しやすい鉄心１７近傍とリアクターカバー１２との間に設けられているので、より放熱効果を上げることができる。
【００３０】
更に、リアクターカバー１２の内部に、先端に誘導部１９を有するガイド１８を設けているので、リアクターカバー１２を取り付ける際に、それが正規の取り付け位置に誘導され、取り付けが容易になる。しかも、リアクターカバー１２を取り付けた時に、ガイド１８の内部に伝熱体１５が位置すると共に、伝熱体１５とリアクター１１の鉄心１７が密着するように配置されるので、伝熱体１５とリアクター１１との密着性がよくなり、より放熱効果を上げることができる。
【００３１】
また、リアクター１１、リアクター台１０、リアクターカバー１２を熱交換器２の近傍に配置することにより、リアクター１１からの放熱を利用して熱交換効率を上げることも可能である。
【産業上の利用可能性】
【００３２】
以上のように、本発明にかかる空気調和機は、リアクターカバーにより、リアクターカバー内に、雨水や粉塵が侵入することがなく、また、リアクターとリアクタークターカバーとの間の伝熱体により、リアクターの放熱効果を上げることができるもので、空気調和機に限らず、放熱が必要な電子部品を備えた各種電気機器、電子機器に広く適用できる。
【図面の簡単な説明】
【００３３】
【図１】本発明の実施の形態１における空気調和機の平面図
【図２】同空気調和機のリアクターおよびリアクターカバー取付断面図
【図３】従来の空気調和機の平面図
【図４】同空気調和機のリアクター収納部の断面図
【符号の説明】
【００３４】
１  基盤
２  熱交換器
３  室外ファン
４  ファンモーター
５  ファンモーター取り付け板
６  圧縮機
７  機械室
８  仕切り板
９  熱交換機室
１０  リアクター台
１１  リアクター
１２  リアクターカバー
１５  伝熱体
１６  ヒートシンク
１７  鉄心
１８  ガイド
１９  誘導部
【図１】
2009198039.tif 000003
【図２】
2009198039.tif 000004
【図３】
2009198039.tif 000005
【図４】
2009198039.tif 000006